(57)【特許請求の範囲】
【請求項１】
少なくとも一組の量子ビットと、
前記量子ビットと相互作用して量子状態を検出した後にこの検出結果を保持する量子状態検出器とを有する量子装置の制御を行う量子状態制御方法において、
前記量子ビットと前記量子状態検出器との相互作用による量子状態の検出結果に応じたエネルギー変化をした前記量子ビットを、任意の量子状態に変化させ、
前記量子状態検出器による量子状態の検出は、読み出しパルスの前記量子状態検出器への照射により行い、
前記任意の量子状態の生成は、前記量子ビットの量子状態を回転させる制御パルスを前記量子ビットに照射することで行い、
前記制御パルスの照射は、前記エネルギー変化をした後の前記量子ビットに対して前記読み出しパルスの照射中に行う
ことを特徴とする量子状態制御方法。
【請求項２】
請求項１記載の量子状態制御方法において、
前記量子ビットへの制御パルスの照射は、前記量子ビットの量子状態を９０°回転させるパルス幅の制御パルスの照射を含むことを特徴とする量子状態制御方法。
【請求項３】
量子ビットに相互作用する状態で結合した量子状態検出器を動作させる読み出しパルスの前記量子状態検出器への照射を開始する第１ステップと、
前記読み出しパルスの照射により前記量子ビットが前記量子ビットのいずれかの固有状態に射影した後で前記量子ビットの量子状態を９０°回転させるパルス幅の第１制御パルスを前記量子ビットに照射する第２ステップと、
前記第１制御パルスが照射されてからπ／（２Δω）の後の前記量子ビットの量子状態を所望の角度回転させる所望のパルス幅の第２制御パルスの照射、および前記第１制御パルスが照射されてからπ／Δωの後の前記量子ビットの量子状態を所望の角度回転させる所望のパルス幅の第３制御パルスの照射の少なくとも１つの照射を行う第３ステップと、
前記第１制御パルスを照射してからπ／Δωの後の所望の時間後に前記読み出しパルスの照射を停止する第４ステップと
を少なくとも備え、
前記Δωは、前記量子ビットの２つの励起状態のエネルギーの変化分であることを特徴とする量子状態制御方法。
【請求項４】
請求項３記載の量子状態制御方法において、
前記第３ステップは、
前記第１制御パルスが照射されてからπ／（２Δω）の後に、前記量子ビットの量子状態を所望の角度回転させる所望のパルス幅の第２制御パルスを前記量子ビットに照射する第５ステップと、
前記第２制御パルスが照射されてからπ／（２Δω）の後に、前記量子ビットの量子状態を所望の角度回転させる所望のパルス幅の第３制御パルスを前記量子ビットに照射する第６ステップと、
を備え、
前記第４ステップでは、前記第３制御パルスを照射してから所望の時間後に前記読み出しパルスの照射を停止することを特徴とする量子状態制御方法。
【請求項５】
請求項３または４記載の量子状態制御方法において、
前記量子状態検出器は、
前記読み出しパルスに応じてジョセフソン分岐読み出し動作を行うことにより、前記量子ビットの磁束に応じて位相が変化した応答パルスを出力する超伝導量子干渉計と、
前記読み出しパルスが入力される入力端と、
前記超伝導量子干渉計からの応答パルスを出力する出力端と、
前記入力端および前記出力端に接続された前記超伝導量子干渉計を含む共振器と
を備えることを特徴とする量子状態制御方法。
【発明の詳細な説明】
【技術分野】
【０００１】
本発明は、量子ビットの量子状態を制御する量子状態制御方法に関する。
【背景技術】
【０００２】
量子状態を利用する量子ビットは、熱エネルギーによる量子状態の破壊を避けるため、多くの場合、極低温の環境で実現されている。また、量子ビットを測定したときに得られる信号は、小さいことが多く、十分な精度で測定するためには、フィルターや増幅器が欠かせない。
【０００３】
例えば、量子状態の制御では、図８に示すように、まず、冷凍機８０１の内部に配置した量子ビット８０２の量子状態を検出器８０３で検出し、検出した信号を測定装置８０４の測定部８０５で測定し、パルス生成部８０６で制御パルスを生成する。生成した制御パルスは制御線８０７に伝送され、量子ビット８０２を制御する。
【先行技術文献】
【非特許文献】
【０００４】
【非特許文献１】I. Siddiqi et al. ,"RF-Driven Josephson Bifurcation Amplifier for Quantum Measurement", Phys. Rev. Lett. , vol.93, no.20, 207002, 2004.
【非特許文献２】A. LUPASCU et al. ,"Quantumnon-demolitionmeasurement of a superconducting two-level system", Nature Physics, vol.3, pp.119-123, 2007.
【非特許文献３】N. Boulant et al. , "Quantum nondemolition readout using a Josephson bifurcation amplifier", Physical Review B, vol.76, 014525, 2007.
【非特許文献４】K. Kakuyanag et al. , "Readout strength dependence of state projection in superconducting qubit", http://arxiv.org/abs/1004.0182v2.
【発明の概要】
【発明が解決しようとする課題】
【０００５】
ここで、上述した量子状態の制御では、量子状態の情報を得るために、冷凍機８０１内の量子ビットの状態を検出した検出器８０３より出力される微小な信号を、冷凍機８０１の内部や外部のフィルター（不図示）や増幅器（不図示）を用いて十分大きな信号にしている。このため、得られた量子状態の情報をもとにして量子状態の制御を行おうとすると、フィルターや配線による遅延、および、得られた量子状態の情報をもとに量子ビット８０２の制御パルスを生成するための遅延などが発生してしまう。
【０００６】
量子ビットを利用する量子演算は、コヒーレンス時間内に行う必要がある。しかしながら、上述した遅延のために、量子状態に基づく量子状態制御をコヒーレンス時間内に実現することは容易ではないという問題があった。
【０００７】
本発明は、以上のような問題点を解消するためになされたものであり、量子ビットの量子状態に基づいて、量子ビットの量子状態を制御できるようにすることを目的とする。
【課題を解決するための手段】
【０００８】
本発明に係る量子状態制御方法は、少なくとも一組の量子ビットと、量子ビットと相互作用して量子状態を検出した後にこの検出結果を保持する量子状態検出器とを有する量子装置の制御を行う量子状態制御方法において、量子ビットと量子状態検出器との相互作用による量子状態の検出結果に応じたエネルギー変化をした量子ビットを、任意の量子状態に変化させる。
【０００９】
上記量子状態制御方法において、量子状態検出器による量子状態の検出は、読み出しパルスの量子状態検出器への照射により行い、任意の量子状態の生成は、量子ビットの量子状態を回転させる制御パルスを量子ビットに照射することで行い、制御パルスの照射は、エネルギー変化をした後の量子ビットに対して読み出しパルスの照射中に行う。例えば、量子ビットへの制御パルスの照射は、量子ビットの量子状態を９０°回転させるパルス幅の制御パルスの照射を含む。
【００１０】
また、本発明に係る量子状態制御方法は、量子ビットに相互作用する状態で結合した量子状態検出器を動作させる読み出しパルスの量子状態検出器への照射を開始する第１ステップと、読み出しパルスの照射により量子ビットが量子ビットのいずれかの固有状態に射影した後で量子ビットの量子状態を９０°回転させるパルス幅の第１制御パルスを量子ビットに照射する第２ステップと、第１制御パルスが照射されてからπ／（２Δω）の後の量子ビットの量子状態を所望の角度回転させる所望のパルス幅の第２制御パルスの照射、および第１制御パルスが照射されてからπ／Δωの後の量子ビットの量子状態を所望の角度回転させる所望のパルス幅の第３制御パルスの照射の少なくとも１つの照射を行う第３ステップと、第１制御パルスを照射してからπ／Δωの後の所望の時間後に読み出しパルスの照射を停止する第４ステップとを少なくとも備え、Δωは、量子ビットの２つの励起状態のエネルギーの変化分である。
【００１１】
上記量子状態制御方法において、第３ステップは、第１制御パルスが照射されてからπ／（２Δω）の後に、量子ビットの量子状態を所望の角度回転させる所望のパルス幅の第２制御パルスを量子ビットに照射する第５ステップと、第２制御パルスが照射されてからπ／（２Δω）の後に、量子ビットの量子状態を所望の角度回転させる所望のパルス幅の第３制御パルスを量子ビットに照射する第６ステップとを備え、第４ステップでは、第３制御パルスを照射してから所望の時間後に読み出しパルスの照射を停止するようにすればよい。
【００１２】
上記量子状態制御方法において、量子状態検出器は、読み出しパルスに応じてジョセフソン分岐読み出し動作を行うことにより、量子ビットの磁束に応じて位相が変化した応答パルスを出力する超伝導量子干渉計と、読み出しパルスが入力される入力端と、超伝導量子干渉計からの応答パルスを出力する出力端と、入力端および出力端に接続された超伝導量子干渉計を含む共振器とを備えるものであればよい。
【発明の効果】
【００１３】
以上説明したように、本発明によれば、読み出しパルスを照射している間に、各制御パルスを量子ビットに照射するなど、量子ビットと量子状態検出器との相互作用による量子状態の検出結果に応じたエネルギー変化をした量子ビットを、任意の量子状態に変化させるようにしたので、固有状態に射影した量子ビットの量子状態に基づいて、量子ビットの量子状態を制御できるようになるという優れた効果が得られる。
【図面の簡単な説明】
【００１４】
【図１】図１は、本発明の実施の形態における量子状態制御方法を説明するフローチャートである。
【図２】図２は、量子ビットの量子状態の制御の概念を示す説明図である。
【図３】図３は、制御対象となる量子ビットおよび量子状態検出器を含むシステムの構成を示す構成図である。
【図４】図４は、ジョセフソン分岐増幅の分岐の状態、および共振器の状態に対応する量子ビットのエネルギー状態を示す説明図である。
【図５】図５は、本発明の実施の形態における量子状態制御の１例を示すシーケンス図である。
【図６】図６は、図５のシーケンスに対応する量子ビットの量子状態をブロッホベクトルによって示す説明図である。
【図７】図７は、量子状態検出器で検出されている量子状態が基底状態の場合に、この量子状態を反転させるための制御を説明するための説明図である。
【図８】図８は、量子状態を帰還制御する制御システムの構成を示す構成図である。
【発明を実施するための形態】
【００１５】
以下、本発明の実施の形態について図を参照して説明する。図１は、本発明の実施の形態における量子状態制御方法を説明するフローチャートである。この量子状態制御方法は、まず、ステップＳ１０１で、量子ビットに相互作用する状態で結合した量子状態検出器を動作させる読み出しパルスの量子状態検出器への照射を開始する。
【００１６】
次に、ステップＳ１０２で、読み出しパルスの照射により量子ビットが量子ビットのいずれかの固有状態に射影した後で量子ビットの量子状態を９０°回転させるパルス幅の第１制御パルスを量子ビットに照射する。
【００１７】
次に、ステップＳ１０３で、第１制御パルスが照射されてからπ／（２Δω）の後の量子ビットの量子状態を所望の角度回転させる所望のパルス幅の第２制御パルスの照射、および、第１制御パルスが照射されてからπ／Δωの後の量子ビットの量子状態を所望の角度回転させる所望のパルス幅の第３制御パルスの照射の少なくとも１つの照射を行う。
【００１８】
例えば、第１制御パルスが照射されてからπ／（２Δω）の後に、量子ビットの量子状態を所望の角度回転させる所望のパルス幅の第２制御パルスを量子ビットに照射し、次に、第２制御パルスが照射されてからπ／（２Δω）の後に、量子ビットの量子状態を所望の角度回転させる所望のパルス幅の第３制御パルスを量子ビットに照射すればよい。
【００１９】
次に、ステップＳ１０４で、第３制御パルスを照射してから所望の時間後に読み出しパルスの照射を停止する。
【００２０】
なお、上記Δωは、量子ビットの２つの励起状態のエネルギーの変化分である。
【００２１】
上述した実施の形態における量子状態制御方法によれば、第２制御パルスのパルス幅、第３制御パルスのパルス幅、および第３制御パルスを照射してから読み出しパルスの照射を停止するまでの時間を、適宜に設定することで、読み出しパルスの照射によりいずれかの固有状態に射影した後の量子ビットの量子状態に基づいて、量子ビットの量子状態が制御できるようになる。ここで、第２制御パルスのパルス幅を０とすれば、第２制御パルスの照射はせずに、第３制御パルスを照射することになる。また、第３制御パルスのパルス幅を０とすれば、第３制御パルスは照射しないことになる。
【００２２】
以下、量子ビットの量子状態制御についてより詳細に説明する。
【００２３】
はじめに、概要について説明する。まず、本実施の形態による量子状態制御方法では、量子ビットおよびこの量子ビットと結合した量子状態検出器を備える構成が制御対象となる。量子状態検出器と量子ビットとの間には相互作用があり、量子状態検出器の状態は、測定時の量子ビットの状態を反映して当該状態を保持する。また、量子ビットも、量子状態検出器の状態を反映し、量子ビットのエネルギーを僅かに変化させる。
【００２４】
ここで、本発明では、図２に示すように、まず、読み出しパルスの照射により、未知状態｜Ψ〉２０１の量子ビットの量子状態が、量子状態検出器により検出２０２される状態となる。この後、量子状態検出器で検出２０２されている状態｜ｇ〉２０３もしくは状態｜ｅ〉２０４に制御操作２０５を加える。前述した各制御パルスの量子ビットへの照射が、制御操作２０５である。これにより、量子ビットを、所望とする第１任意状態２０６もしくは第２任意状態２０７の状態にする。
【００２５】
なお、図２において、第１任意状態２０６もしくは第２任意状態２０７を示す式では、θ1およびθ2は、｜ｇ〉を北極の方向に向いた状態に対応させ、｜ｅ〉を南極の方向に向いた状態に対応させたブロッホ球表示において、量子状態の変化に対応する緯度に相当している。また、φは、上記ブロッホ球表示において、量子状態の変化に対応する経度に相当している。
【００２６】
上述したように、本発明では、量子ビットの状態を検出した量子状態検出器によって量子ビットのエネルギーが変化することを利用し、量子状態検出器が検出している量子状態を他の領域に出力することなく、量子ビットの量子状態に応じた任意の状態を制御・形成している。このため、本発明では、量子状態の測定（検出）における遅延など、量子状態の測定結果（検出結果）を反映させることによる遅延が発生せず、高速な量子状態の制御が実現できる。
【００２７】
次に、制御対象となる量子ビットおよび量子状態検出器を含むシステムの構成について説明する。ここでは、量子ビットが超伝導磁束量子ビットであり、量子状態検出器がジョセフソン分岐増幅によるものである場合について説明する。ジョセフソン分岐増幅は、非線形共振器の双安定状態を利用し、被測定系の微小変化によって共振器の収束する安定状態が変化するように駆動することで、被測定系の変位を共振器の共振状態の違いとして検出するものである。
【００２８】
図３に示すように、量子状態検出器３０１は、ＳＱＵＩＤ（超伝導量子干渉計）３０３、第１共振回路３０４、第２共振回路３０５を備えている。ＳＱＵＩＤ３０３は、対応する量子ビット３０２と磁気的に結合して設けられ、入力された読み出しパルスに応じてジョセフソン分岐読み出し動作を行う機能を有している。第１共振回路３０４は、量子状態検出器３０１の入力端とＳＱＵＩＤ３０３との間に接続され、第２共振回路３０５は、ＳＱＵＩＤ３０３と量子状態検出器３０１の出力端との間に接続される。ＳＱＵＩＤ３０３、第１共振回路３０４、および第２共振回路３０５で、共振器を構成している。
【００２９】
量子ビット３０２は、例えば寸法が５μｍ角程度であり、誘電体基板（不図示）上に形成されたアルミニウムなどの超伝導ループから構成されており、この超伝導ループ上に３つのジョセフソン接合を含んでいる。なお、図３において、ジョセフソン接合は、「×」で示している。量子ビット３０２の超伝導ループを流れる右回り「｜ｅ＞」と左回り「｜ｇ＞」の超伝導電流が、量子ビット３０２の２つの状態に対応する。
【００３０】
ＳＱＵＩＤ３０３は、例えば７μｍ四方のサイズで、上記誘電体基板上で量子ビット３０２の外側を囲むように形成されたアルミニウムなどの超伝導ループから構成されている。ＳＱＵＩＤ３０３は、超伝導ループ上に２つのジョセフソン接合を含んでいる。
【００３１】
量子ビット３０２の超伝導ループを流れるループ電流の向きが変わると、ＳＱＵＩＤ３０３の中を貫く磁束量子の量が変化し、この磁束量子の変化に応じてＳＱＵＩＤ３０３のジョセフソンインダクタンスが０．１％程度変わる。この変化によって駆動時の安定状態が変わるように、読み出しパルスの強度や周波数を調節することで、量子ビット３０２の量子状態を応答パルスの位相および振幅の変化として検出することができる。
【００３２】
これら量子ビット３０２およびＳＱＵＩＤ３０３の製造方法や構成については公知の技術に基づくものであり、ここでの詳細な説明は省略する。
【００３３】
第１共振回路３０４は、量子ビット３０２およびＳＱＵＩＤ３０３と同一の誘電体基板上に形成されている。第２共振回路３０５も、量子ビット３０２およびＳＱＵＩＤ３０３と同一の誘電体基板上に形成されている。
【００３４】
また、量子ビット３０２の近傍には、制御線３０６が設けられている。制御線３０６も、量子ビット３０２およびＳＱＵＩＤ３０３と同一の誘電体基板上に形成されている。
また、上記誘電体基板は、冷凍機３００に収容され、量子ビット３０２およびＳＱＵＩＤ３０３などに、超伝導電流が流れる温度に冷却されている。
【００３５】
また、量子状態検出器３０１の、入力端には、読み出しパルス生成部３１１が接続し、制御線３０６には、制御パルス生成部３１２が接続し、量子状態検出器３０１の出力端には、増幅器３０７を介して信号検出部３１３が接続されている。読み出しパルス生成部３１１，制御パルス生成部３１２，および信号検出部３１３は、例えば、冷凍機３００の外部に配置された測定装置３１０内に設けられている。
【００３６】
共振器である量子状態検出器３０１の共振周波数は、容量素子の電極面積や電極間距離、あるいは伝送線路の線路長など、各々の素子の物理的属性値より調整すればよい。
【００３７】
このようなＳＱＵＩＤ３０３に第１共振回路３０４，第２共振回路３０５を接続して構成した量子状態検出器３０１に、読み出しパルス生成部３１１より出力されたマイクロ波の読み出しパルスを照射すると、非線形性に起因して２つの状態のいずれかに安定する。したがって、この双安定状態において、量子ビット３０２とＳＱＵＩＤ３０３とを相互作用させれば、量子状態検出器３０１がどちらの安定状態（高振幅状態または低振幅状態）に収束するかに基づいて、量子ビット３０２の量子状態を読み出すことができる。なお、高振幅状態と低振幅状態とは、基準の振幅状態に対するものではなく、各々を比較した状態を示しており、高振幅状態は、低振幅状態より高い振幅の状態であることを示している。
【００３８】
また、制御パルス生成部３１２より、第１制御パルス，第２制御パルス，および第３制御パルスを出力し、制御線３０６により量子ビット３０２に照射する。
【００３９】
ここで、読み出しパルスの照射を開始し、一度、安定状態が実現すると、読み出しパルスのテールが持続している（読み出しパルスの照射が継続している）間は、当該状態を保持する。量子状態検出器３０１と量子ビット３０２とは、結合している。このため、上述したように読み出しパルスの照射が継続されていずれかの状態に安定しているとき、量子ビット３０２は、量子状態検出器３０１の振幅に依存するエネルギーシフトを受ける。
【００４０】
このエネルギーシフトの状態を図４に示す、図４において、灰色と黒色とで異なるエネルギー状態を示しており、これらの間のエネルギーシフトがΔωである。図４は、ジョセフソン分岐増幅の分岐の様子と共振器の状態に対応する量子ビットのエネルギーを示しており、灰色と黒色とで異なるエネルギー状態を示している。共振器を読み出しパルスで駆動すると、量子ビットの状態に応じて、高振幅状態（灰色）または低振幅状態（黒色）で共振する。この共振器の状態は、読み出しパルスを照射している間は保持される。量子ビットが励起状態のときに共振器が高振幅状態になると、量子ビットはエネルギーシフトを受けるため、共振器が低振幅状態の場合よりも、量子ビットの共鳴周波数が、エネルギーシフトΔωに相当する値だけずれる。このエネルギーシフトΔωは、ジョセフソン分岐増幅などの測定により、予め求めておけばよい。
【００４１】
本発明では、図５に示すように、上述した読み出しパルス５０１の照射を継続している間において、３つの第１制御パルス５０２，第２制御パルス５０３，および第３制御パルス５０４を、量子ビットに照射する。なお、各々のパルスは、共振器の状態による量子ビットのエネルギーシフトの逆数時間よりも十分に短いので、各々のパルスによる量子ビット状態のラビ（Rabi）回転角は、よい近似で、量子ビットのエネルギーシフトには依存しないと考えられる。
【００４２】
読み出しパルス５０１の照射を終了した後で検出される状態は、「共振器が低振幅状態で量子ビットが基底状態」、または「共振器が高振幅状態で量子ビットが励起状態」であり、共振器の状態は、読み出しパルス５０１の照射中、保持される。
【００４３】
以下、読み出しパルス５０１の照射中における各制御パルスの照射による量子状態の変化について、図６を用いて説明する。図６では、量子状態をブロッホ球表示しており、量子状態｜ｇ〉を北極の方向に向いた状態に対応させ、量子状態｜ｅ〉を南極の方向に向いた状態に対応させて示している。
【００４４】
まず、第１制御パルス５０２の照射によって、図６の（ａ）から図６の（ｂ）に示すように、量子ビットの量子状態は９０°回転する。この後、共振器が高振幅状態（量子ビットが励起状態に対応）の場合には、量子ビットのエネルギーがシフトするので、量子状態の位相が変化する。この変化は、ブロッホ球で経度の変化に相当する。この位相が９０°回転する時間がτπ/2［＝π／（２Δω）］であり、時間τπ/2の後で、図６の（ｃ）に示す状態となる。時間τπ/2が経過して図６の（ｃ）に示す状態となったら、量子ビットの量子状態を所望の角度αだけ回転させる所望のパルス幅の第２制御パルス５０３を量子ビットに照射する。第２制御パルス５０３は、位相が９０°（π／２）ずれた状態には寄与しないので、共振器が低振幅状態となっている量子ビットの量子状態にのみ作用する（図６の（ｄ））。
【００４５】
更に、時間τπ/2の後（図６の（ｅ））に、量子ビットの量子状態を所望の角度βだけ回転させる所望のパルス幅の第３制御パルス５０４を量子ビットに照射する。この照射により、まず、位相が０°で低振幅状態（量子ビットが基底状態に対応）の場合には、基底状態からθ1＝α＋β＋π／２だけ回転した状態となる。また、位相が０°で高振幅状態では、基底状態からθ2＝β＋π／２だけ回転した状態となる（図６の（ｆ））。
【００４６】
この後、高振幅状態の量子状態の位相が、φだけ回転するのを待って（図６の（ｇ））、読み出しパルス５０１の照射を停止すれば、読み出しパルス５０１の照射により、量子状態検出器が検出している量子状態に応じた、任意の量子状態を形成することができる。
【００４７】
実例を挙げて説明すると、量子状態検出器が検出している量子状態が基底状態のときに量子状態を反転させて励起状態にし、量子状態検出器が検出している量子状態が励起状態のときには、このままにする例を挙げると、θ1＝π、θ2＝πなので、α＝０、β＝π／２である。
【００４８】
図７に示すように、読み出しパルス７０１の照射を開始してから所定の時間が経つと、図７の（ａ）に示すような量子状態を反映して量子状態検出器の共振器が安定状態になる。この状態となってから、量子ビットの量子状態をπ／２回転させるパルス幅の２つの制御パルス７０２，７０３を、間隔τπ（＝π／Δω）で照射することで、量子状態検出器が検出している量子状態が基底状態のときのみ、量子ビットの量子状態を反転させることができる。
【００４９】
読み出しパルス７０１の照射により、図７の（ａ）に示すように量子状態が固有状態に射影されたのち、制御パルス７０２の照射により、図７の（ｂ）に示すように、量子ビットの量子状態は９０°回転する、この後、時間τπ（＝π／Δω）が経過すると、図７の（ｃ）に示すように、初めに励起状態であった量子状態の位相は１８０°回転した状態となる。この状態で、制御パルス７０３を照射すれば、読み出しパルス７０１の照射を停止した後、図７の（ｄ）に示すように、基底状態であった量子ビットの量子状態のみが反転する。
【００５０】
なお、各制御パルスのパルス幅は、量子ビットに照射するマイクロ波の振幅強度を含む各条件を固定しておき、前もってラビ振動を測定し、ｃｏｓ(ωt)状の振動の時間依存性から決定すればよい。量子ビットのエネルギーシフトの大きさは、おおよそ数〜数十ＭＨｚのオーダーであり、各制御パルスのパルス幅は、各数ｎｓ（＜＜数十〜数百ｎｓ）である。照射するマイクロ波の振幅を選択することで、第１制御パルス，第２制御パルス，および第３制御パルスの各々のパルス幅は、数ｎｓのオーダーにすることが可能である。
【００５１】
以上に説明したように、本発明は、少なくとも一組の量子ビットと、量子ビットと相互作用して量子状態を検出した後にこの検出結果を保持する量子状態検出器とを有する量子装置の制御を行う量子状態制御方法において、量子ビットと量子状態検出器との相互作用による量子状態の検出結果に応じたエネルギー変化をした量子ビットに、量子状態検出器が検出した検出結果に応じて任意の量子状態を生成するようにしたところに特徴がある。ここで、上述した実施の形態で例を示したように、量子状態検出器による量子状態の検出は、読み出しパルスの量子状態検出器への照射により行い、任意の量子状態の生成は、量子ビットの量子状態を回転させる制御パルスを量子ビットに照射することで行い、制御パルスの照射は、エネルギー変化をした後の量子ビットに対して読み出しパルスの照射中に行うようにすればよい。例えば、量子ビットへの制御パルスの照射は、量子ビットの量子状態を９０°回転させるパルス幅の制御パルスの照射を含む。
【００５２】
本発明によれば、簡単な構成によって高速な量子状態の制御が可能となるので、量子演算においてコヒーレンス時間を有効に使う点で大きな利点である。また、本発明を利用することにより、高速な量子状態の初期化や量子ビットの冷却なども可能になる。またＣ−ＮＯＴ演算と組み合わせることによって測定結果に応じて他の量子ビットを自由に制御することが可能であり、これは量子エラー訂正などに欠かせない技術である。
【００５３】
なお、本発明は以上に説明した実施の形態に限定されるものではなく、本発明の技術的思想内で、当分野において通常の知識を有する者により、多くの変形が実施可能であることは明白である。例えば、量子ビットへの制御パルスの照射は、量子ビットの量子状態を９０°回転させるパルス幅の制御パルスの照射のみでもよい。また、例えば、量子状態の検出は、ジョセフソン分岐増幅に限るものではなく、他の検出技術を用いるようにしてもよい。
【符号の説明】
【００５４】
３００…冷凍機、３０１…量子状態検出器、３０２…量子ビット、３０３…ＳＱＵＩＤ（超伝導量子干渉計）、３０４…第１共振回路、３０５…第２共振回路、３０６…制御線、３０７…増幅器、３１０…測定装置、３１１…読み出しパルス生成部、３１２…制御パルス生成部、３１３…信号検出部、３４１，３５１…容量素子、３４２，３５２…伝送線路。
【図１】
0005497596.tif 000002
【図２】
0005497596.tif 000003
【図３】
0005497596.tif 000004
【図５】
0005497596.tif 000005
【図６】
0005497596.tif 000006
【図７】
0005497596.tif 000007
【図８】
0005497596.tif 000008
【図４】
0005497596.tif 000009